(57)【要約】 【課題】  上部タンクの受入口からパチンコ玉が零れることを防止できる遊技島を提供することを目的とする。【解決手段】  玉揚送装置１０は揚送したパチンコ玉を排出するための玉排出部１６を横向きに突出して備え、上部タンク９は受入口９ａを有し、玉揚送装置１０は玉排出部１６から排出したパチンコ玉を受入口９ａから上部タンク９内部へ排出可能な位置にて設置され、玉揚送装置１０を設置位置まで移動させたときに玉排出部１６の下部と受入口９ａの下縁の間を遮蔽する隙間遮蔽部材２０を、上部タンク９または玉揚送装置１０に設けたものとした。【選択図】      図５
2007151629.tif 000002
【特許請求の範囲】
【請求項１】
複数台列設されたパチンコ遊技機と、前記パチンコ遊技機に供給するためのパチンコ玉を貯留する上部タンクと、該上部タンクへパチンコ玉を揚送する玉揚送装置とを備えた遊技島であって、
前記玉揚送装置は揚送したパチンコ玉を排出するための玉排出部を横向きに突出して備え、前記上部タンクは受入口を有し、
前記玉揚送装置は玉排出部から排出したパチンコ玉を前記受入口から上部タンク内部へ排出可能な位置にて設置され、
前記玉揚送装置を設置位置まで移動させたときに前記玉排出部の下部と前記受入口の下縁の間を遮蔽する隙間遮蔽部材を、前記上部タンクまたは前記玉揚送装置に設けたことを特徴とする遊技島。
【請求項２】
請求項１に記載の遊技島であって、前記玉揚送装置の底部にベース部材が固着され、玉揚送装置の設置位置の床面に玉揚送装置を設置可能なメインベースを備え、前記ベース部材の下面または前記メインベースの上面にスライド板を備え、
前記ベース部材の下面または前記メインベースの上面が前記スライド板と接する面積は、前記ベース部材の下面の面積よりも小さいことを特徴とする遊技島。
【発明の詳細な説明】
【技術分野】
【０００１】
本発明は、複数台のパチンコ遊技機を列設し、各パチンコ遊技機から排出されたパチンコ玉を玉揚送装置によって上部タンクへ揚送し、上部タンクから各パチンコ遊技機へパチンコ玉を供給する遊技島に関する。
【背景技術】
【０００２】
複数台のパチンコ遊技機を片面または両面に直線状に列設させた遊技島においては、例えば遊技島内に多量のパチンコ玉を貯留させる下部貯留タンクと、下部貯留タンクから排出されたパチンコ玉若しくは各パチンコ遊技機から排出されたパチンコ玉を回収する回収樋と、回収樋にて回収されたパチンコ玉を上方に揚送する玉揚送装置と、玉揚送装置の上部には揚送されたパチンコ玉を一時貯留させておく上部タンクと、この上部タンクから各パチンコ遊技機や各遊技媒体貸出機に対してパチンコ玉を補給する補給樋と、から大略構成され、島内のパチンコ玉が循環するようにし、営業に支障がないようにしている。このような遊技島が、例えば特許文献１に開示されている。
【特許文献１】特開２００３−２６０２５２号公報
【発明の開示】
【発明が解決しようとする課題】
【０００３】
上記したような遊技島においては、玉揚送装置の上部に設けられた玉排出部が上部タンクの受入口に挿入されるまで玉揚送装置を移動させて設置することによって、玉揚送装置が揚送したパチンコ玉を上部タンクに排出することを可能としている。しかしながら、上部タンクの受入口は玉排出部を容易に挿入できるように、玉排出部の大きさよりも少し大きく形成されているので、玉排出部と受入口との間に隙間が生じ、その隙間から玉が零れ落ちることがあった。また、玉排出部を受入口に挿入するには、玉揚送装置の下面を地面に滑らせながら移動させる必要があるが、玉揚送装置は非常に重く、滑らせながら移動させるのは非常に困難であった。
【０００４】
本発明は、このような従来の問題点に鑑み、上部タンクの受入口からパチンコ玉が零れることを防止できる遊技島を提供することを目的とする。また、玉排出部を上部タンクの受入口に挿入する際の玉揚送装置の移動を容易に行える遊技島を提供することを目的とする。
【課題を解決するための手段】
【０００５】
上記した目的を達成するため、請求項１の発明は、複数台列設されたパチンコ遊技機と、パチンコ遊技機に供給するためのパチンコ玉を貯留する上部タンクと、上部タンクへパチンコ玉を揚送する玉揚送装置とを備えた遊技島であって、玉揚送装置は揚送したパチンコ玉を排出するための玉排出部を横向きに突出して備え、上部タンクは受入口を有し、玉揚送装置は玉排出部から排出したパチンコ玉を受入口から上部タンク内部へ排出可能な位置にて設置され、玉揚送装置を設置位置まで移動させたときに玉排出部の下部と受入口の下縁の間を遮蔽する隙間遮蔽部材を、上部タンクまたは玉揚送装置に設けたものとした。
【０００６】
上記した目的を達成するため、請求項２の発明は、請求項１に記載の遊技島であって、玉揚送装置の底部にベース部材が固着され、玉揚送装置の設置位置の床面に玉揚送装置を設置可能なメインベースを備え、ベース部材の下面またはメインベースの上面にスライド板を備え、ベース部材の下面またはメインベースの上面がスライド板と接する面積は、ベース部材の下面の面積よりも小さいものとした。
【発明の効果】
【０００７】
上記した構成によれば、玉揚送装置を設置位置まで移動させると、隙間遮蔽部が玉排出部と受入口の下縁との間に生じる隙間を遮蔽して、パチンコ玉の零れを防止することができる。また、玉排出部を受入口に挿入する際の玉揚送装置の移動を容易に行うことができる。
【発明を実施するための最良の形態】
【０００８】
以下、図面に示した実施形態に基づいて、本発明を詳細に説明する。図１に示すように、遊技島１は複数台のパチンコ遊技機２及び遊技媒体貸出機２ａが列設され、島端には玉計数機１ａが設けられている。遊技島の略中央にはパチンコ玉を上方に磨きながら揚送する玉揚送装置１０が化粧パネルで囲まれて備えられている。玉揚送装置１０により研磨され揚送されたパチンコ玉は、遊技島上方に設けられた上部タンク９から各パチンコ遊技機２や各遊技媒体貸出機２ａに対して補給樋７を介して供給される。また、上部タンク９は内部にパチンコ玉を一時貯留することが可能であり、上部タンク９で貯留しきれずに溢れたパチンコ玉はオーバーフロー樋８を介して遊技島１の下部に設けられた下部貯留タンク６Ｌ，６Ｒへ送られる。下部貯留タンク６Ｌ，６Ｒは、遊技島下部に玉揚送装置１０を挟んで左右に設けられており、下部貯留タンク６Ｌはメイン貯留タンク６Ｌａ，サブ貯留タンク６Ｌｂ，６Ｌｃ、で構成され、下部貯留タンク６Ｒはメイン貯留タンク６Ｒａ，サブ貯留タンク６Ｒｂで構成されている。また、下部貯留タンク６Ｌ，６Ｒの床面はそれぞれ循環リフト４L，４Rに向かってなだらかに下り傾斜しており、下部貯留タンク６Ｌ，６Ｒ内のパチンコ玉が傾斜に従って転がり、それぞれ循環リフト４Ｌ，４Ｒによって取り込まれ、回収樋５Ｌ，５Ｒを介して玉揚送装置１０に引き渡されるようになっている。また、玉計数機１ａに投入されたパチンコ玉は、下部貯留タンク６Ｒへ貯留され、各パチンコ遊技機２から排出されるパチンコ玉（アウト玉）は回収樋５によって回収され、玉揚送装置１０に送られるようになっている。図２に示すように、回収樋５内を流下してきたパチンコ玉Ｐは、回収樋５と垂直状に連接し、玉揚送装置１０内部に向かって傾斜する導入整列樋１８を介して玉揚送装置１０本体内へ送り込まれる。
【０００９】
次に、玉揚送装置１０について説明する。玉揚送装置１０は、図２に示すように揚送ベルト１３と研磨布１５ａ（例えば、綿材）との間で挟持し研磨しながら上方に揚送する構成と成している。通常、研磨布１５ａは一本から成しているがこの実施例においては、該揚送ベルト１３と対向する研磨布１５ａは上下略同一の長さで二分割状態の下段の研磨布１５ａと上段の研磨布１５ｂとから成している。
【００１０】
揚送ベルト１３は駆動プーリ１３ａ及び従動プーリ１３ｂ及びテンションプーリ１４ａ、１４ｂ、１４ｃに巻回されており、駆動プーリ１３ａは、モータ１７と駆動ベルト１７ａを介して連接されたモータ１７の回転により、図３の矢印Ａ方向に回転し、揚送ベルト１３が矢印B方向に回転する。
【００１１】
研磨布１５ａ、研磨布１５ｂはそれぞれスポンジ状のベース板に巻回されていて、該ベース板にパチンコ玉Ｐが転がっていくように、縦方向に複数の溝１５ｃが並行に設けられている。また、研磨布１５ａ、研磨布１５ｂは、汚れに応じて定期的に取り替えるが、取り替え作業する際は図２のようにそれぞれ独立して開くように成している。
【００１２】
揚送ベルト１３と研磨布１５ａ、研磨布１５ｂとの間隔は、図３のように遊技玉１個の玉径よりやや小さい状態で挟持し、揚送ベルト１３の回転により、順次遊技玉Ｐは研磨布１５ａ若しくは上段の研磨布１５ｂで磨かれながら上方に揚送されていき、上端部に横向きに突出して設けられた玉排出部１６より排出されるように成っている。玉排出部１６の向きは先端に向かってやや下向きに傾斜して形成しても良い。
【００１３】
また、玉揚送装置１０は、図４に示すように底部にベース部材１１をボルト等で固着し、床面に設置されたメインベース１２上を滑りながら移動するようになっていて、玉揚送装置１０の上端部に横向きに突出して設けられた玉排出部１６を上部タンク９に備えた受入口９ａに挿入させた状態で、ベース部材１１をボルト等でメインベース１２に固定する。そうすることによって、玉排出部１６より排出されたパチンコ玉が上部タンク９内に貯留される。
【００１４】
玉排出部１６は図５に示すように、下部に隙間遮蔽部材２０が板状の遮蔽部２０ａを下向きに玉揚送装置１０本体側に傾斜して取付けられている。
【００１５】
玉排出部１６を上部タンク９の受入口９ａに挿入していくと、隙間遮蔽部材２０の遮蔽部２０ａが受入口９ａの下縁に当接する。従来は、受入口と玉排出部との間に隙間が生じていて、その隙間からパチンコ玉が零れ落ちることがあったが、この隙間遮蔽部材２０によって玉排出部１６と受入口９ａの下縁との間に生じる隙間が遮蔽され、パチンコ玉の零れを防止する。
【００１６】
しかも、玉揚送装置１０を設置位置まで移動させて固定するだけで、隙間遮蔽部材２０の遮蔽部２０ａが受入口９ａの下縁に当接して、玉排出部１６と受入口９ａの下縁との間に生じる隙間を遮蔽するので、玉揚送装置１０を設置する際に隙間を遮蔽するための特別な作業をすることもなく容易にパチンコ玉の零れを防止することができる。
【００１７】
さらに図６に示すように、隙間遮蔽部材２０を、曲げ弾性を有する板バネ２０ｂに遮蔽部２０ａを取付けた構成とすれば、遮蔽部２０ａが受入口９ａの下縁によって押されて変位する程度まで玉排出部１６を受入口９ａに挿入することができ（図６（ｂ）参照）、そうすることによって玉揚送装置１０に多少の振動が生じても隙間遮蔽板２０が受入口９ａの下縁から離れることはなく、隙間が生じることはない。また、板バネ２０ｂの代わりにバネ蝶番を用いても良い。
【００１８】
また、隙間遮蔽部材２０を曲げ弾性を有する１枚の板材で形成すれば、隙間遮蔽部材２０が受入口９ａの下縁に押されて少し撓む程度まで玉排出部１６を受入口９ａに挿入することができ、そうすることによって玉揚送装置１０に多少の振動が生じても隙間遮蔽部材２０が受入口９ａの下縁から離れることはなく、隙間が生じることはない。上記した、曲げ弾性を有する板材とは、例えば、ウレタンやプラスチック等の樹脂性の板や、金属製の薄板などである。
【００１９】
また、隙間遮蔽部材２０を玉揚送装置１０の本体側に設けても良い。図７に示すように、板バネ２０ｂを玉揚送装置１０本体側の玉排出部１６近傍の位置に取付け、板バネに遮蔽部２０ａを玉排出部１６の先端側に向けて取付ける。玉排出部１６を上部タンク９の受入口９ａに挿入していくと、隙間遮蔽部材２０の遮蔽部２０ａが受入口９ａの下縁に当接する。さらに挿入していくと、図７（ｂ）に示すように、遮蔽部２０ａが受入口９ａに押されて変位していき、玉排出部１６に遮蔽部２０ａの先端が当接して、玉排出部１６と受入口９ａの下縁との間に生じる隙間が遮蔽される。この場合においても隙間遮蔽部材２０を玉排出部１６に備えた場合と同様に、板バネ２０ｂをバネ蝶番としても良いし、隙間遮蔽部材２０を曲げ弾性を有する１枚の板材としても良い。
【００２０】
また、隙間遮蔽部材２０を上部タンク９の受入口９ａの下縁に備えることもできる。図８に示すように、隙間遮蔽部材２０を、曲げ弾性を有する板バネ２０ｂに板状の遮蔽部２０ａを上向きに取付けた構成とし、板バネ２０ｂの部分を受入口９ａに取付ける。玉排出部１６を上部タンク９の受入口９ａに挿入していくと、図８（ａ）に示すように、玉排出部１６の先端が遮蔽部２０ａに当接する。さらに挿入していくと、図８（ｂ）に示すように、玉排出部１６に遮蔽部２０ａが押されて上部タンク９の内部方向に変位していき、玉排出部１６の下部に遮蔽部２０ａの先端が当接した状態となり、玉排出部１６と受入口９ａの下縁との間に生じる隙間が遮蔽される。また、隙間遮蔽部材２０を玉揚送装置１０に備えた場合と同様に、板バネ２０ｂをバネ蝶番としても良いし、隙間遮蔽部材２０を曲げ弾性を有する１枚の板材としても良い。
【００２１】
また、隙間遮蔽部材２０を、金属など導電性を有した板材で形成すると、玉揚送装置１０に発生した静電気を上部タンク９側へ逃がすこともできる。
【００２２】
図９に示すように、玉揚送装置１０の底部に固着されメインベース１２上を滑りながら移動するベース部材１１の底面には、細長い薄板状のスライド板１１ａが移動方向に沿って両端に貼り付けられており、メインベース１２の上面とはスライド板１１ａの底面が接した状態で移動するようになっている。従って、ベース部材１１の底面が直接メインベース１２の上面に接する場合と比較して、接地面積が小さくなり摩擦が小さくなるので、容易に玉揚送装置１０の移動が行える。ベース部材１１底面のスライド板１１ａの貼り付け位置や、スライド板１１ａの形状はこれに限定されるものではなく、図１０に示すようにスライド板１１ａの長辺を移動方向に対して横向きに端から少し離した位置に貼り付けても良いし、図１１に示すようにスライド板１１ａを１枚の口の字形状の薄板としても良い。
また、図１２に示すように上記したようなスライド板１１ａをメインベース１２の上面に設けても良い。
【００２３】
以上のように、本発明によれば、玉揚送装置１０を設置位置まで移動させて固定するだけで、隙間遮蔽部材２０の遮蔽部２０ａが受入口９ａの下縁に当接して、玉排出部１６と受入口９ａの下縁との間に生じる隙間を遮蔽するので、玉揚送装置１０を設置する際に隙間を遮蔽するための特別な作業をすることもなく容易にパチンコ玉の零れを防止することができる。また、玉排出部１６を受入口９ａに挿入する際の玉揚送装置１０の移動を容易に行うことができる。
【図面の簡単な説明】
【００２４】
【図１】遊技島の構成を示す図である。
【図２】玉揚送装置の斜視図である。
【図３】玉揚送装置の下部断面図である。
【図４】玉揚送装置の玉排出部を上部タンクの受入口に挿入した状態を示す斜視図である。
【図５】玉揚送装置の上部を示す拡大図である。
【図６】他の実施の形態における玉揚送装置の上部を示す拡大図である。
【図７】更に他の実施の形態における玉揚送装置の上部を示す拡大図である。
【図８】更に他の実施の形態における玉揚送装置の上部を示す拡大図である。
【図９】玉揚送装置底部のベース部材を示す拡大図であり、（ａ）は正面図、（ｂ）は底面図である。
【図１０】他の実施の形態における玉揚送装置底部のベース部材を示す拡大図である。
【図１１】更に他の実施の形態における玉揚送装置底部のベース部材を示す拡大図である。
【図１２】メインベースを示す拡大図である。
【符号の説明】
【００２５】
１      遊技島
２      パチンコ遊技機
４Ｌ    循環リフト
４Ｒ    循環リフト
５Ｌ    回収樋
５Ｒ    回収樋
６      下部貯留タンク
７      補給樋
８      オーバーフロー樋
９      上部タンク
９ａ    受入口
１０    玉揚送装置
１１    ベース部材
１１ａ  スライド板
１２    メインベース
１３    揚送ベルト
１５ａ  研磨布
１５ａ  研磨布
１６    玉排出部
１８    紙幣識別機
２０    隙間遮蔽部材
２０ａ  遮蔽部
２０ｂ  板バネ
Ｐ      パチンコ玉
【図１】
2007151629.tif 000003
【図２】
2007151629.tif 000004
【図３】
2007151629.tif 000005
【図４】
2007151629.tif 000006
【図５】
2007151629.tif 000007
【図６】
2007151629.tif 000008
【図７】
2007151629.tif 000009
【図８】
2007151629.tif 000010
【図９】
2007151629.tif 000011
【図１０】
2007151629.tif 000012
【図１１】
2007151629.tif 000013
【図１２】
2007151629.tif 000014